(57)【要約】【課題】原稿押さえ板等の対向部材に識別画像を描かず、且つ、原稿シートの先端や後端が読取領域に到達したかどうかの判定ができない事態が発生することを抑制すること。【解決手段】スキャナ１は、画像読取部３を、第１読取位置Ｘ１および第２読取位置Ｘ２のいずれかに移動させ、読取動作により取得する読取画像の値が変化した場合、ＡＤＦ５の搬送方向における原稿シートの端が読取領域Ｒ１に到達したと判定する。ここで、画像読取部３が第１読取位置Ｘ１にあるときと第２読取位置Ｘ２にあるときとで、読取動作により原稿押さえ部材２８を読み取ったときの読取画像の値が互いに異なる。【選択図】図３
2014072689.tif 000002
【特許請求の範囲】
【請求項１】
搬送経路を有し、当該搬送経路に沿って原稿シートを搬送する搬送部と、
前記搬送経路上に読取領域を有し、当該読取領域内の画像を読み取る読取動作を実行する画像読取部と、
前記画像読取部に対して前記搬送経路を挟んで対向配置された対向部材と、
前記画像読取部を、前記対向部材上の一の部分が前記読取領域内にある第１読取位置、および、前記対向部材上の他の部分が前記読取領域内にある第２読取位置に移動させる移動部と、
制御部と、を備え、
前記画像読取部が前記第１読取位置にあるときと前記第２読取位置にあるときとで、前記読取動作により前記対向部材を読み取ったときの読取画像の値が互いに異なる構成であり、
前記制御部は、
前記画像読取部の読取位置を、前記第１読取位置および前記第２読取位置のいずれかに設定する位置設定処理と、
前記移動部により前記画像読取部を前記読取位置に移動させ、前記搬送部が前記原稿シートを前記読取領域に到達させる前から前記画像読取部に前記読取動作を開始させ、読取画像の値を取得し始める画像取得処理と、
前記画像取得処理で取得する前記読取画像の値が変化した場合、前記搬送部の搬送方向における原稿シートの端が前記読取領域に到達したと判定するシート端判定処理と、
を実行する構成を有する画像読取装置。
【請求項２】
請求項１に記載の画像読取装置であって、
報知部を備え、
前記制御部は、
前記画像取得処理の開始後、基準期間経過しても前記読取画像の値が変化しない場合、判定エラーと判定するエラー判定処理と、
前記判定エラーと判定した場合、当該判定エラーを前記報知部により外部に報知する報知処理と、を実行する構成を有する、画像読取装置。
【請求項３】
請求項１または２に記載の画像読取装置であって、
ユーザが入力操作を行う操作部を備え、
前記制御部は、
前記位置設定処理では、前記ユーザの入力操作に応じて、前記読取位置を、前記第１読取位置および前記第２読取位置のいずれかに設定する、画像読取処理。
【請求項４】
請求項１または２に記載の画像読取装置であって、
前記制御部は、
前記判定エラーと判定した場合、前記移動部により、前記画像読取部を、前記第１読取位置および前記第２読取位置のうち、前記判定エラーと判定したときの読取位置とは異なる位置に移動させる移動処理と、を実行する構成を有する、画像読取装置。
【請求項５】
請求項１から４のいずれか一項に記載の画像読取装置であって、
前記対向部材の前記一の部分と前記第１読取位置にあるときの前記画像読取部との第１距離と、前記対向部材の前記他の部分と前記第２読取位置にあるときの前記画像読取部との第２距離とが互いに異なる構成である、画像読取装置。
【請求項６】
請求項１から４のいずれか一項に記載の画像読取装置であって、
前記対向部材の前記一の部分と前記他の部分とは互いに色が異なる構成である、画像読取装置。
【請求項７】
搬送経路を有し、当該搬送経路に沿って原稿シートを搬送する搬送部と、前記搬送経路上に読取領域を有し、当該読取領域内の画像を読み取る読取動作を実行する画像読取部と、前記画像読取部に対して前記搬送経路を挟んで対向配置された対向部材と、前記画像読取部を、前記対向部材上の一の部分が前記読取領域内にある第１読取位置、および、前記対向部材上の他の部分が前記読取領域内にある第２読取位置に移動させる移動部と、を備え、前記画像読取部が前記第１読取位置にあるときと前記第２読取位置にあるときとで、前記読取動作により前記対向部材を読み取ったときの読取画像の値が互いに異なる構成である画像読取装置に、
前記画像読取部の読取位置を、前記第１読取位置および前記第２読取位置のいずれかに設定する位置設定処理と、
前記移動部により前記画像読取部を前記読取位置に移動させ、前記搬送部が前記原稿シートを前記読取領域に到達させる前から前記画像読取部に前記読取動作を開始させ、読取画像の値を取得し始める画像取得処理と、
前記画像取得処理で取得する前記読取画像の値が変化した場合、前記搬送部の搬送方向における原稿シートの端が前記読取領域に到達したと判定するシート端判定処理と、
を実行させる原稿端判定プログラム。
【発明の詳細な説明】
【技術分野】
【０００１】
原稿シートを搬送し、画像読取部の読取領域を通過させつつ当該原稿シート上の画像を読み取る技術に関し、特に、読取領域に原稿シートの端が到達したかどうかを判定する技術に関する。
【背景技術】
【０００２】
原稿シートを搬送し、画像読取部の読取領域を通過させつつ当該原稿シート上の画像を読み取るタイプの画像読取装置がある。このタイプの画像読取装置には、原稿シートの先端や後端が読取領域に到達したかどうかを判定し、その判定結果を、例えば画像読取部の読取タイミングの決定や、読取画像内における原稿の画像サイズの決定等に利用するものがある。
【０００３】
その一例である画像読取装置は、画像読取部に対向配置された原稿押さえ板を備え、この原稿押さえ板に、主走査方向に沿って色が切り替わるパターン、バーコード、特定の絵柄などの識別画像が描かれている。そして、当該画像読取装置は、画像読取部により所定の読取領域で読み取った画像データが、上記識別画像データであるか他の画像データであるかを判定することにより、原稿シートの先端や後端が読取領域に到達したかどうかを判定する（特許文献１参照）。
【先行技術文献】
【特許文献】
【０００４】
【特許文献１】特開２００４−１２０４２５号公報
【発明の概要】
【発明が解決しようとする課題】
【０００５】
ところで、上記従来の画像読取装置では、上記所定の読取領域で原稿の画像を読み取っている際に、原稿押さえ板に描かれた識別画像が、画像読取部による読取画像に悪影響を与えるなどの問題が生じるおそれがある。しかし、原稿押さえ板に識別画像を描かない構成とすると、例えば、上記所定の読取領域において原稿押さえ板と原稿シートとをそれぞれ読み取ったときの読取画像の値が同じあるいは近似している場合、原稿シートの先端等が読取領域に到達したかどうかの判定ができない。
【０００６】
本明細書では、原稿押さえ板等の対向部材に識別画像を描かず、且つ、原稿シートの先端や後端が読取領域に到達したかどうかの判定ができない事態が発生することを抑制することが可能な技術を開示する。
【課題を解決するための手段】
【０００７】
本明細書によって開示される画像読取装置は、搬送経路を有し、当該搬送経路に沿って原稿シートを搬送する搬送部と、前記搬送経路上に読取領域を有し、当該読取領域内の画像を読み取る読取動作を実行する画像読取部と、前記画像読取部に対して前記搬送経路を挟んで対向配置された対向部材と、前記画像読取部を、前記対向部材上の一の部分が前記読取領域内にある第１読取位置、および、前記対向部材上の他の部分が前記読取領域内にある第２読取位置に移動させる移動部と、制御部と、を備え、前記画像読取部が前記第１読取位置にあるときと前記第２読取位置にあるときとで、前記読取動作により前記対向部材を読み取ったときの読取画像の値が互いに異なる構成であり、前記制御部は、前記画像読取部の読取位置を、前記第１読取位置および前記第２読取位置のいずれかに設定する位置設定処理と、前記移動部により前記画像読取部を前記読取位置に移動させ、前記搬送部が前記原稿シートを前記読取領域に到達させる前から前記画像読取部に前記読取動作を開始させ、読取画像の値を取得し始める画像取得処理と、前記画像取得処理で取得する前記読取画像の値が変化した場合、前記搬送部の搬送方向における原稿シートの端が前記読取領域に到達したと判定するシート端判定処理と、を実行する構成を有する。
【０００８】
この画像読取装置は、画像読取部を、第１読取位置および第２読取位置のいずれかに移動させ、読取動作により取得する読取画像の値が変化した場合、搬送部の搬送方向における原稿シートの端が読取領域に到達したと判定する。ここで、画像読取部が第１読取位置にあるときと第２読取位置にあるときとで、読取動作により対向部材を読み取ったときの読取画像の値が互いに異なる。これにより、例えば、画像読取部が第１読取位置にあるときに、対向部材と原稿シートとをそれぞれ読み取ったときの読取画像の値が同じであっても、画像読取部を第２読取位置に移動させることにより、原稿シートの端が読取領域に到達したかどうかを判定することができる。
【０００９】
上記画像読取装置では、報知部を備え、前記制御部は、前記画像取得処理の開始後、基準期間経過しても前記読取画像の値が変化しない場合、判定エラーと判定するエラー判定処理と、前記判定エラーと判定した場合、当該判定エラーを前記報知部により外部に報知する報知処理と、を実行する構成を有してもよい。
【００１０】
この画像読取装置は、画像取得処理の開始後、基準期間経過しても読取画像の値が変化しない場合、判定エラーと判定し、それを外部に報知する。これにより、現在の読取位置では、原稿シートの端が読取領域に到達したかどうかを判定することができないことをユーザに知らせることができる。
【００１１】
上記画像読取装置では、ユーザが入力操作を行う操作部を備え、前記制御部は、前記位置設定処理では、前記ユーザの入力操作に応じて、前記読取位置を、前記第１読取位置および前記第２読取位置のいずれかに設定してもよい。
【００１２】
この画像読取装置は、ユーザの入力操作に応じて、前記読取位置を、前記第１読取位置および前記第２読取位置のいずれかに設定する。これにより、ユーザの意思によって読取位置を設定することができる。
【００１３】
上記画像読取装置では、前記制御部は、前記判定エラーと判定した場合、前記移動部により、前記画像読取部を、前記第１読取位置および前記第２読取位置のうち、前記判定エラーと判定したときの読取位置とは異なる位置に移動させる移動処理と、を実行する構成を有してもよい。
【００１４】
この画像読取装置は、画像取得処理の開始後、基準期間経過しても読取画像の値が変化しない場合、判定エラーと判定し、画像読取部を、別の読取位置に自動で移動させる。
【００１５】
上記画像読取装置では、前記対向部材の前記一の部分と前記第１読取位置にあるときの前記画像読取部との第１距離と、前記対向部材の前記他の部分と前記第２読取位置にあるときの前記画像読取部との第２距離とが互いに異なる構成であってもよい。
【００１６】
この画像読取装置は、対向部材の一の部分と第１読取位置にあるときの画像読取部との第１距離と、対向部材の他の部分と第２読取位置にあるときの画像読取部との第２距離とが互いに異なる。これにより、画像読取部が第１読取位置にあるときと第２読取位置にあるときとで、読取動作により対向部材を読み取ったときの読取画像の値が互いに異なる構成を実現することができる。
【００１７】
上記画像読取装置では、前記対向部材の前記一の部分と前記他の部分とは互いに色が異なる構成でもよい。
【００１８】
この画像読取装置は、対向部材の一の部分と他の部分とは互いに色が異なる。これにより、画像読取部が第１読取位置にあるときと第２読取位置にあるときとで、読取動作により対向部材を読み取ったときの読取画像の値が互いに異なる構成を実現することができる。
【００１９】
なお、この発明は、画像読取装置、原稿端判定方法、これらの方法または装置の機能を実現するためのコンピュータプログラム、そのコンピュータプログラムを記録した記録媒体等の種々の態様で実現することができる。
【発明の効果】
【００２０】
本明細書によって開示される発明によれば、原稿押さえ板等の対向部材に識別画像を描かず、且つ、原稿シートの先端や後端が読取領域に到達したかどうかの判定ができない事態が発生することを抑制することができる。
【図面の簡単な説明】
【００２１】
【図１】実施形態１に係るスキャナの電気的構成を示すブロック図
【図２】画像読取部およびＡＤＦ等の概略構成図
【図３】画像読取部と原稿押さえ部材との距離の変位の説明図
【図４】読取制御処理を示すフローチャート（その１）
【図５】読取制御処理を示すフローチャート（その２）
【図６】実施形態２の原稿押さえ部材と読取位置との関係図
【図７】実施形態３の読取制御処理を示すフローチャート（その１）
【図８】読取制御処理を示すフローチャート（その２）
【発明を実施するための形態】
【００２２】
＜実施形態１＞
一実施形態のスキャナ１について図１〜図５を参照しつつ説明する。以下の説明では、図２の紙面左側をスキャナ１の前側（Ｆ）とし、紙面手前側をスキャナ１の右側（Ｒ）とし、紙面上側をスキャナ１の上側（Ｕ）とする。
【００２３】
（スキャナの電気的構成）
図１に示すように、スキャナ１は、制御部２、画像読取部３、デバイス移動機構４、原稿自動搬送装置（以下、「ＡＤＦ」という）５、表示部６、操作部７、フロントセンサ８等を備える。
【００２４】
制御部２は、中央処理装置（以下、ＣＰＵ）１１、ＲＯＭ１２、ＲＡＭ１３および画像処理部１４を有する。ＲＯＭ１２には、後述する読取制御処理を実行するためのプログラム（原稿端判定プログラムの一例）や、このスキャナ１の各種の動作を実行するためのプログラムが記憶されている。ＣＰＵ１１は、ＲＯＭ１２から読み出したプログラムに従って、スキャナ１の各部を制御する。なお、上記各種のプログラムが記憶される媒体は、ＲＯＭ１２やＲＡＭ１３以外に、ＣＤ−ＲＯＭ、ハードディスク装置、フラッシュメモリ（登録商標）などの不揮発性メモリでもよい。
【００２５】
ＲＡＭ１３は、記憶部の一例である。画像読取部３で読み取られた読取画像に応じた画素列の読取データは、図示しないＡＤ変換部によりＡＤ変換され、画像処理部１４に与えられる。画像処理部１４は、画像処理専用のハード回路であり、ＡＤ変換された読取データに対し、シェーディング補正やガンマ補正等の処理を実行し、その後にＲＡＭ１３に記憶する。
【００２６】
操作部７は、複数のボタンを有し、ユーザにより各種の入力操作が可能である。表示部６は、液晶ディスプレイやランプ等を有し、各種の設定画面や装置の動作状態等を表示することが可能である。画像読取部３、デバイス移動機構４、ＡＤＦ５、フロントセンサ８の構成ついては次述する。
【００２７】
（画像読取部およびＡＤＦ等の構成）
図２に示すように、スキャナ１は、スキャナ本体１Ａの上面に、仕切り部材２０、ＡＤＦ用ガラス２１、および、ＦＢ（フラットベッド）用ガラス２２が設けられている。仕切り部材２０は、ＡＤＦ用ガラス２１とＦＢ用ガラス２２との間に設けられている。仕切り部材２０の下面には白基準板２０Ａが設けられており、この白基準板２０Ａは、光反射率が概ね均一な白色の部材である。また、仕切り部材２０の下面のうち、白基準板２０Ａに隣接する部分は、黒色である。
【００２８】
また、スキャナ本体１Ａの上面の一端側には，これらのガラス２１，２２を覆うカバー２３が開閉可能に設けられている。このカバー２３内には、上述したＡＤＦ５、フロントセンサ８が設けられ、ＡＤＦ用ガラス２１等の下方には、上述した画像読取部３、デバイス移動機構４が設けられている。
【００２９】
具体的には、カバー２３には、原稿シートが配置される原稿トレイ２４、および、その原稿トレイ２４の上方に配置された排出トレイ２５が設けられている。また、原稿トレイ２４の先端側には上記フロントセンサ８が設けられている。このフロントセンサ８は、原稿トレイ２４の先端側に設定された検知領域Ｒ０で、原稿トレイ２４上の原稿シートの有無を検知する原稿有無センサであり、その検知結果を上記制御部２に送信する。
【００３０】
また、カバー２３内には、原稿シートを、原稿トレイ２４からＵ字状に折り返して排出トレイ２５に搬送するための搬送経路２６が形成されている。ＡＤＦ５は、搬送部の一例であり、その搬送経路２６途中に配置された複数の搬送ローラ２７や原稿押さえ部材２８等を有し、搬送ローラ２７を回転駆動することにより、原稿シートを搬送経路２６に沿って自動で搬送する構成である。原稿押さえ部材２８は、対向部材の一例である。また、原稿押さえ部材２８は、カバー２３内部の所定部位に固定されており、カバー２３を閉姿勢にしたとき、原稿押さえ部材２８は、ＡＤＦ用ガラス２１の上面に対向する。
【００３１】
画像読取部３は、ＣＩＳ（Ｃｏｎｔａｃｔ  Ｉｍａｇｅ  Ｓｅｎｓｏｒ）を有する読取デバイスである。画像読取部３の具体的構成、および、原稿押さえ部材２８との配置関係等については後述する。なお、画像読取部３は、ＣＩＳに限らず、例えばＣＣＤ（Ｃｈａｒｇｅ  Ｃｏｕｐｌｅｄ  Ｄｒｉｖｅ  Ｉｍａｇｅ  Ｓｅｎｓｏｒ）を有する構成でもよい。また、画像読取部３は、デバイス移動機構４によってＡＤＦ用ガラス２１およびＦＢ用ガラス２２の下側において、前後方向に移動可能に設けられている（図２の太い黒矢印参照）。
【００３２】
これにより、スキャナ１は、ＡＤＦ読取とＦＢ読取とを実行することができる。ＡＤＦ読取は、画像読取部３を原稿押さえ部材２８に対向する第１読取位置Ｘ１や第２読取位置Ｘ２に静止させ、ＡＤＦ５により搬送される原稿シート上の画像を読み取る動作である。ＦＢ読取は、デバイス移動機構４により、画像読取部３をＦＢ用ガラス１１Ｂに沿って移動させつつ、当該ＦＢ用ガラス１１Ｂ上に配置された原稿シートの画像を読み取る動作である。
【００３３】
画像読取部３は、ＡＤＦ５により搬送される原稿シートを読み取る際、原稿押さえ部材２８の直下に移動して、原稿シート上の原稿画像を読み取り、その読取画像に応じた読取データを上記制御部２に送信する。
【００３４】
（画像読取部および原稿押さえ部材の具体的構成）
図３に示すように、画像読取部３は、発光部３１および受光部３２を備える。なお、本実施形態では、画像読取部３の構成上、原稿押さえ部材２８や原稿シートでの正反射光は受光部３２に受光されず、拡散反射光が受光部３２に受光される。また、図３では、各色の光ＬＲ、ＬＧ、ＬＢの光路が区別できるよう模式的に描かれており、読取領域Ｒ１の範囲も大きく描かれている。また、同図の上段および下段のいずれも、各色の光ＬＲ、ＬＧ、ＬＢが、原稿押さえ部材２８の対向面で反射している状態を示す。
【００３５】
具体的には、発光部３１は、ＬＥＤ基板３３および導光体３４を有する。ＬＥＤ基板３３には、レッド（Ｒ）の光ＬＲを出射するＲ色ＬＥＤ（発光ダイオード）３４Ｒ、グリーン（Ｇ）の光ＬＧを出射するＧ色ＬＥＤ３４Ｇ、ブルー（Ｂ）の光ＬＢを出射するＢ色ＬＥＤ３４Ｂが、前後方向（搬送経路２６の搬送方向）に沿って互いにずれた位置に配置されている。導光体３４は、ＬＥＤ３４Ｒ，３４Ｇ，３４Ｂからの各色の光ＬＲ、ＬＧ、ＬＢを、読取領域Ｒ１へと導く光学部材である。
【００３６】
受光部３２は、受光レンズ３５および受光基板３６を有する。受光レンズ３５は、読取領域Ｒ１側からの光を受光基板３６に導く光学部材である。受光基板３６は、図示しない複数の受光素子が、左右方向、換言すれば主走査方向に沿って並んで配置された構成である。なお、各色の光ＬＲ、ＬＧ、ＬＢの出射方向は、受光部３２と原稿押さえ部材２８の対向面との対向方向に対して傾いている。
【００３７】
以上の構成により、画像読取部３は、読取領域Ｒ１内の画像を読み取って、その読取画像に応じた読取データを出力する読取動作を実行する。具体的には、画像読取部３は、発光部３１のＬＥＤ３４Ｒ，３４Ｇ，３４Ｂを時分割で発光させて、読取領域Ｒ１で反射した各色の光ＬＲ、ＬＧ、ＬＢを受光部３２に受光させ、ＲＧＢ色の主走査ラインデータを、１組の主走査ラインの読取データとして順次出力する読取動作を実行する。
【００３８】
原稿押さえ部材２８は、ＡＤＦ用ガラス２１の直下に位置する画像読取部３との距離が互いに異なる第１部分２８Ａおよび第２部分２８Ｂ（一の部分、他の部分の一例）を有する。第１部分２８Ａは、ＡＤＦ用ガラス２１に略平行な直線部分である。図３の上段に示すように、画像読取部３が第１読取位置Ｘ１にあるとき、読取領域Ｒ１は第１部分２８Ａ上に位置し、画像読取部３と第１部分２８Ａとの間の距離は第１距離Ｄ１である。
【００３９】
第２部分２８Ｂは、ＡＤＦ用ガラス２１に対して傾斜している部分である。図３の下段に示すように、画像読取部３が第２読取位置Ｘ２にあるとき、読取領域Ｒ１は第２部分２８Ｂ上に位置し、画像読取部３と第２部分２８Ｂとの間の距離は第２距離Ｄ２であり、第１距離Ｄ１よりも長い。また、第１部分２８Ａおよび第２部分２８Ｂは、いずれも画像読取部３と対向する側の面の色が同一であり、本実施形態では例えば白色である。なお、原稿押さえ部材２８の対向面は、必ずしも白色である必要はなく、例えば灰色など、他の色でもよい。
【００４０】
しかし、ＡＤＦ読取の場合、搬送経路２６において、原稿押さえ部材２８と画像読取部３との間の領域が読取領域Ｒ１になり、図２に示すように、画像読取部３の読取位置が第１読取位置Ｘ１であるか第２読取位置Ｘ２であるかによって、この読取領域Ｒ１も移動する。そして、上記のように第１距離Ｄ１と第２距離Ｄ２とは異なる。このため、画像読取部３が第１読取位置Ｘ１にあるときと第２読取位置Ｘ２にあるときとで、上記読取動作により原稿押さえ部材２８を読み取ったときの読取データの値が互いに異なる。なお、読取データの値は、読取画像の値の一例であり、各色の画素値や各色同士の画素値の差である色差などが含まれる。
【００４１】
（読取制御処理）
例えばユーザが操作部５にてＡＤＦ読取の実行を指示するための操作を行うと、制御部２は、フロントセンサ８の検知結果に基づき、原稿トレイ２４上に原稿シート有りと判断したことを条件に、図４，５に示す読取制御処理を実行する。この読取制御処理では、画像読取部３の読取位置を、第１読取位置Ｘ１と第２読取位置Ｘ２とのいずれかに選択的に設定し、その設定した読取位置で読取動作を開始し、その読取データの値が変化したことに基づき、原稿シートの端が読取領域Ｒ１に到達したか否かを判定することが可能である。
【００４２】
なお、制御部２は、予め、デバイス移動機構４を制御して、画像読取部３を上記仕切り部材２０の直下のホーム位置Ｘ０（図２参照）に移動させる。具体的には、ＣＰＵ１１は、画像読取部３を移動させつつ読取動作を実行させ、当その読取画像が、白基準板２０Ａの白画像から、その隣接部分の黒画像に切り替わった時点で、画像読取部３がホーム位置Ｘ０に到達したと判断し、デバイス移動機構４を停止させる。
【００４３】
制御部２は、まず画像読取部３の読取位置を、初期位置に設定する（Ｓ１）。このＳ１の処理は、位置設定処理の一例である。初期位置は、上記第１読取位置Ｘ１および第２読取位置Ｘ２のいずれでもよい。但し、本実施形態では、画像読取部３が第１読取位置Ｘ１にあるときに、最も精度の高い読取動作を実行できるよう画像読取部３の読取条件が調整されている。このため、初期位置は第１読取位置Ｘ１に設定されている。次に、制御部２は、ホーム位置Ｘ０にて、画像読取部３に白基準板２０Ａ等に対する読取動作を実行させて、シェーディングデータ等の補正用データを取得する（Ｓ２）。なお、Ｓ１の処理とＳ２の処理の実行順序は逆でもよい。
【００４４】
制御部２は、補正用データを取得すると、現在設定されている読取位置（以下、単に現在読取位置という）が、判定エラーとなった読取位置である判定エラー位置と異なっているかどうかを判断する（Ｓ３）。制御部２は、例えば後述するＳ１７の処理でＲＡＭ１３に記憶される判定エラー情報を参照して、現在読取位置と判定エラー位置とが不一致であるどうかを判断する。読取制御処理の実行当初は、まだＳ１７の処理を実行しておらず、ＲＡＭ１３には、判定エラー位置として上記初期位置と同じ読取位置が記憶されている。このため、制御部２は、現在読取位置が判定エラー位置と一致すると判断し（Ｓ３：ＮＯ）、画像読取部３を第１読取位置Ｘ１に移動させる（Ｓ４  図３の上段参照）。
【００４５】
次に、制御部２は、画像読取部３に、原稿押さえ部材２８のうち対向部分に対する読取動作を実行させ、その読取データを取得してＲＡＭ１３に記憶する（Ｓ６）。現在、画像読取部３は第１読取位置Ｘ１にあるから、制御部２は、第１部分２８Ａの読取データをＲＡＭ１３に記憶する。以下、原稿押さえ部材２８を読み取ったときの読取データの値を、原稿押さえ読取値といい、特に、第１部分２８Ａの読取データの値を第１原稿押さえ読取値といい、第２部分２８Ｂの読取データの値を第２原稿押さえ読取値という。
【００４６】
制御部２は、上記対向部分の読取データを取得すると、ＡＤＦ５を起動させて原稿シートの搬送を開始させ（Ｓ７）、読取動作を開始する（Ｓ８）。なお、Ｓ７の処理とＳ８の処理の実行順序は逆でもよいし、同時でもよい。また、Ｓ７の処理の実行後、予め定めた基準時間経過後、あるいは、原稿シートを予め定めた基準距離搬送した後、Ｓ８の処理を実行してもよい。また、Ｓ４〜Ｓ８までの処理が、画像取得処理の一例である。
【００４７】
制御部２は、読取動作の開始後、その読取動作によって順次取得する主走査ラインごとの読取データの値が、上記第１原稿押さえ読取値と一致するかどうかを判断することにより、原稿シートの先端が読取領域Ｒ１に到達したかどうかを判定する（Ｓ９）。読取動作の開始当初は、原稿シートは、まだ読取領域Ｒ１に到達していない。このため、制御部２は、読取データの値が第１原稿押さえ読取値と一致すると判断し（Ｓ９：ＹＥＳ）、上記読取動作の開始時から基準時間経過していないと判断した場合（Ｓ１０：ＮＯ）、Ｓ９に戻る。
【００４８】
一方、原稿シートの搬送方向における先端が読取領域Ｒ１に到達すると、画像読取部３は、原稿押さえ部材２８ではなく、原稿シートを読み取るようになる。このため、制御部２は、読取データの値が第１原稿押さえ読取値と一致しないと判断し（Ｓ９：ＹＥＳ）、原稿シートの先端が読取領域Ｒ１に到達したと判定する。このＳ９の処理は、シート端判定処理の一例である。制御部２は、原稿シートの先端が読取領域Ｒ１に到達したと判定した場合、それ以降に取得する読取データを、原稿画像の読取データ（以下、原稿読取データという）としてＲＡＭ１３に記憶し始める（Ｓ１１）。
【００４９】
制御部２は、読取データの値が第１原稿押さえ読取値と一致しないと判断している間（図５のＳ１２：ＮＯ）、読取データを、原稿読取データとしてＲＡＭ１３に記憶し続ける。その後、制御部２は、第１原稿押さえ読取値と一致すると判断した場合（Ｓ１２：ＹＥＳ）、原稿シートの搬送方向における後端が読取領域Ｒ１に到達したと判定し、読取動作を終了する（Ｓ１３）。このＳ１２の処理は、シート端判定処理の一例である。
【００５０】
制御部２は、読取動作の終了後、フロントセンサ８の検知結果に基づき、原稿トレイ２４上に原稿シート有りと判断した場合（Ｓ１４：ＹＥＳ）、Ｓ３に戻り、次の原稿シートについても第１読取位置Ｘ１で読取動作を実行する。制御部２は、原稿トレイ２４上に原稿シート無しと判断した場合（Ｓ１４：ＮＯ）、
制御部２は、ＡＤＦ５を停止させ、原稿シートの搬送を終了し（Ｓ１５）、本読取制御処理を終了する。
【００５１】
一方、図４のＳ９，Ｓ１０で、制御部２は、上記基準時間経過しても読取データの値が第１原稿押さえ読取値と一致すると判断している場合（Ｓ９：ＮＯ、且つ、Ｓ１０：ＹＥＳ）、現在の読取位置では、原稿シートの端が原稿読取領域Ｒ１に到達したかどうかの判定を行うことができない判定エラーであると判定する。このＳ９，Ｓ１０の処理はエラー判定処理の一例である。ここで、基準時間は、原稿シートが、原稿トレイ２４から原稿押さえ部材２８近傍の位置まで搬送されるのに十分な時間に設定されている。例えば原稿シートの地色と原稿押さえ部材２８の対向面の色とが同じ或いは近似している場合、読取領域Ｒ１に原稿シートが有るときと無いときとで読取データの値はほとんど変化しない。
【００５２】
このため、制御部２は、上記の場合（Ｓ９：ＮＯ、且つ、Ｓ１０：ＹＥＳ）、判定エラーと判定し、ＡＤＦ５を停止させる（Ｓ１６）。なお、制御部２は、原稿シートが、原稿トレイ２４から排出トレイ２５に排出されるのに十分な時間経過した後に、ＡＤＦ５を停止させることが好ましい。また、制御部２は、その判定エラーを外部に報知する報知処理を実行し、現在読取位置を判定エラー位置としてＲＡＭ１３に記憶し（Ｓ１７）、Ｓ３に戻る。
【００５３】
この報知処理では、制御部２は、例えば、原稿シート詰まりエラーか、原稿シートの端の上記判定エラーが発生した可能性あることや、判定エラーである場合、現在読取位置を変更すべきことを、表示部６に表示させる。これにより、現在読取位置では、原稿シートの端が読取領域Ｒ１に到達したかどうかを判定することができないことをユーザに知らせることができる。なお、Ｓ１６の処理とＳ１７の処理の実行順序は逆でもよいし、同時でもよい。
【００５４】
ユーザは、この表示部６の表示内容を見て、操作部７で入力操作して、現在読取位置を、第１読取位置Ｘ１から第２読取位置Ｘ２に変更する。すると、制御部２は、図４のＳ３で、現在読取位置が判定エラー位置と異なると判断し（Ｓ３：ＹＥＳ）、画像読取部３を第２読取位置Ｘ２に移動させる（Ｓ５  図３の下段参照：位置設定処理の一例）。ここで、上述したように、画像読取部３が第１読取位置Ｘ１にあるときと第２読取位置Ｘ２にあるときとで、Ｓ６で取得する原稿押さえ読取値が互いに異なる。このため、たとえ、原稿シートの地色と原稿押さえ部材２８の対向面の色とが同じ或いは近似している場合でも、画像読取部３を第２読取位置Ｘ２に移動すれば、読取領域Ｒ１に原稿シートが有るときと無いときとで読取データの値が変化する可能性が高い。
【００５５】
これにより、制御部２は、画像読取部３が第２読取位置Ｘ２にある状態で、上述のＳ６〜Ｓ８の処理を実行する。そして、制御部２は、Ｓ９、Ｓ１０において、基準時間経過する前に読取データの値が第１原稿押さえ読取値と一致しないと判断し（Ｓ９：ＮＯ）、判定エラーを回避して、原稿シートの端が読取領域Ｒ１に到達したことを判定することができるようになる。
【００５６】
（本実施形態の効果）
このスキャナ１は、画像読取部３を、第１読取位置Ｘ１および第２読取位置Ｘ２のいずれかに移動させ、読取動作により取得する読取画像の値が変化した場合、ＡＤＦ５の搬送方向における原稿シートの端が読取領域Ｒ１に到達したと判定する。ここで、画像読取部３が第１読取位置Ｘ１にあるときと第２読取位置Ｘ２にあるときとで、読取動作により原稿押さえ部材２８を読み取ったときの読取画像の値が互いに異なる。これにより、例えば、画像読取部３が第１読取位置Ｘ１にあるときに、原稿押さえ部材２８と原稿シートとをそれぞれ読み取ったときの読取画像の値が同じであっても、画像読取部３を第２読取位置Ｘ２に移動させることにより、原稿シートの端が読取領域Ｒ１に到達したかどうかを判定することができる。
【００５７】
＜実施形態２＞
図６は実施形態２を示す。前記実施形態１との相違は、原稿押さえ部材の構成にあり、その他の点は前記実施形態１と同様である。従って、実施形態１と同一符号を付して重複する説明を省略し、異なるところのみを次に説明する。
【００５８】
図６に示すように、本実施形態の原稿押さえ部材２８αは、搬送経路２６に沿った形状をなし、第１部分２８Ａαおよび第２部分２８Ｂαを有する。従って、画像読取部３が第１部分２８Ａαと対向する第１読取位置Ｘ１αにあるときの両者間の距離と、画像読取部３が第２部分２８Ｂαに対応する第２読取位置Ｘ２αにあるときの両者間の距離とは同じである。
【００５９】
しかし、第１部分２８Ａαおよび第２部分２８Ｂαは、画像読取部３との対向面の色が互いに異なる。このため、画像読取部３が第１読取位置Ｘ１αにあるとき第２読取位置Ｘ２αにあるときとで、読取動作により原稿押さえ部材２８を読み取ったときの読取データの値が互いに異ならせることができる。
【００６０】
本実施形態によれば、画像読取部３が第１読取位置Ｘ１αにあるとき第２読取位置Ｘ２αにあるときとで、画像読取部３と搬送経路２６を搬送している原稿シートとの距離が同じであるため、同等の精度で画像を読み取ることができる。
【００６１】
＜実施形態３＞
図７，８は実施形態３を示す。前記実施形態１との相違は、読取制御処理にあり、その他の点は前記実施形態１と同様である。従って、実施形態１と同一符号を付して重複する説明を省略し、異なるところのみを次に説明する。
【００６２】
制御部２は、まず、操作部７でのユーザの入力操作に基づき、第１読取モードと第２読取モードのいずれかを設定する（Ｓ１α  位置設定処理の一例）。なお、第１読取モードおよび第２読取モードの設定情報には、読取条件等の情報が含まれる。また、制御部２は、第１読取モードを設定した場合には、上記読取条件等の情報と共に、第１読取モードフラグをＲＡＭ１３に記憶し、第２読取モードを設定した場合には、上記読取条件等の情報と共に、第２読取モードフラグをＲＡＭ１３に記憶する。
【００６３】
制御部２は、Ｓ３αでは、第１読取モードフラグおよび第２読取モードフラグのいずれがＲＡＭ１３に記憶されているかを判断し、第１読取モードが記憶されていると判断した場合（Ｓ３α：ＹＥＳ）、Ｓ４に進み、第２読取モードが記憶されていると判断した場合（Ｓ３α：ＮＯ）、Ｓ５に進む。
【００６４】
ここで、例えば、制御部２は、第１読取モードが記憶されていると判断した場合（Ｓ３α：ＹＥＳ）、画像読取部３を第１読取位置Ｘ１に移動させる（Ｓ４）。そして、制御部２は、Ｓ６〜Ｓ１０の処理を実行した結果、上記基準時間経過しても読取データの値が第１原稿押さえ読取値と一致していると判断している場合（Ｓ９：ＮＯ、且つ、Ｓ１０：ＹＥＳ）、判定エラーと判定し、ＡＤＦ５を停止させ（Ｓ１６）、その判定エラーを外部に報知する報知処理を実行し（Ｓ１７α）、本読取制御処理を終了する。
【００６５】
その後、ユーザは、判定エラーを示す表示部６の表示内容を見て、操作部７で入力操作して、第２読取モードを入力する。すると、制御部２は、画像読取部３が第２読取位置Ｘ２にある状態で、上述のＳ６〜Ｓ８の処理を実行する。そして、制御部２は、Ｓ９、Ｓ１０において、基準時間経過する前に読取データの値が第１原稿押さえ読取値と一致しないと判断し（Ｓ９：ＮＯ）、判定エラーを回避して、原稿シートの端が読取領域Ｒ１に到達したことを判定することができるようになる。
【００６６】
＜他の実施形態＞
本明細書で開示される技術は上記記述及び図面によって説明した実施形態に限定されるものではなく、例えば次のような種々の態様も含まれる。
【００６７】
上記実施形態では、画像読取装置の一例として、スキャナ機能のみを有するスキャナ１を挙げた。しかし、これに限らず、画像読取装置は、スキャン機能に加えて、コピー機能など、複数の機能を実行可能な複合機や、ファクシミリ装置等でもよい。
【００６８】
上記実施形態では、制御部２は、ＣＰＵ１１および画像処理部１４により読取制御処理を実行する構成であった。しかし、これに限らず、制御部２は、複数のＣＰＵにより読取制御処理を実行する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより読取制御処理を実行する構成でもよい。
【００６９】
上記実施形態では、画像読取部３は、搬送方向に対して、受光部３２の下流側に発光部３１が配置された構成であった。しかし、これに限らず、画像読取部３は、受光部３２の上流側に発光部３１が配置された構成でもよい。
【００７０】
上記読取制御処理において、画像読取部３を、上記読取位置Ｘ１、Ｘ２以外の読取位置であって、且つ、原稿押さえ部材２８との距離が上記距離Ｄ１，Ｄ２とは異なる他の読取位置で読取動作を実行可能な構成としてもよい。他の読取位置の例としては、画像読取部３の読取領域Ｒ１が、第２部分２８Ｂの下面のうち、図３の下段図とは異なる部位（第２部分２８Ｂの後端側の部位）に設定される位置である。要するに、画像読取部３と原稿押さえ部材２８との対向距離が互いに異なる複数の読取位置で画像読取部３が読取動作を実行できる構成であればよい。
【００７１】
読取性牛処理において、Ｓ１の代わりに、ユーザが操作部７で入力操作して、第１読取位置Ｘ１および第２読取位置Ｘ２のいずれかを選択して初期位置として設定する構成でもよい。これにより、ユーザの意思によって読取位置を設定することができる。
【００７２】
上記読取制御処理において、制御部２は、Ｓ６の処理を実行せずに、Ｓ８の読取動作の実行中に、その読取動作で順次取得する読取データの値の変化の有無を判別し、その判別結果に基づき、原稿シートの端が読取領域Ｒ１に到達したかどうかを判定する構成でもよい。
【００７３】
上記読取制御処理において、制御部２は、判定エラーと判定した場合（Ｓ１０：ＹＥＳ）、ユーザの入力操作によらず、自動で、現在読取位置を変更し、画像読取部３を当該変更後の読取位置に移動させる移動処理を実行する構成でもよい。これにより、ユーザの操作に頼ることなく、それ以降の原稿シートの端が読取領域Ｒ１に到達したかどうかを判定することができる。
【００７４】
上記実施形態では、原稿押さえ部材２８の形状や色を変えることにより、画像読取部３が第１読取位置にあるとき第２読取位置にあるときとで、原稿押さえ読取値を互いに異ならせる構成とした。しかし、これに限らず、例えば、原稿押さえ部材の対向面に互いに反射率が異なる複数の領域を設ける構成でもよい。
【符号の説明】
【００７５】
１：スキャナ  ３：画像読取部  ４：デバイス移動機構  ５：ＡＤＦ  ２８：原稿押さえ部材  ２６：搬送経路  Ｒ１：読取領域
【図１】
2014072689.tif 000003
【図２】
2014072689.tif 000004
【図３】
2014072689.tif 000005
【図４】
2014072689.tif 000006
【図５】
2014072689.tif 000007
【図６】
2014072689.tif 000008
【図７】
2014072689.tif 000009
【図８】
2014072689.tif 000010